(57)【要約】【課題】タッチパネルが使用できない環境であっても、撮影可能な電子機器及びその制御方法を提供する【解決手段】静止画及び動画のうち１以上を撮影する撮影部１０と、ユーザが操作を入力するための操作入力部１１と、ユーザを検出するユーザ検出部１２と、撮影部を制御する制御部１３と、を有し、制御部１３は、操作入力部１１の操作に基づいて撮影部１０を制御する第１のモードと、ユーザ検出部１２の検出結果に基づいて撮影部１０を制御する第２のモードと、を有する電子機器。【選択図】図１
2013179536.tif 000002
【特許請求の範囲】
【請求項１】
静止画及び動画のうち１以上を撮影する撮影部と、
ユーザが操作を入力するための操作入力部と、
ユーザを検出するユーザ検出部と、
前記撮影部を制御する制御部と、を有し、
前記制御部は、
前記操作入力部の操作に基づいて前記撮影部を制御する第１のモードと、
前記ユーザ検出部の検出結果に基づいて前記撮影部を制御する第２のモードと、を有する電子機器。
【請求項２】
前記第１のモードは、陸上用の撮影モードであり、
前記第２のモードは、水中用の撮影モードである請求項１記載の電子機器。
【請求項３】
圧力センサを更に有し、
前記制御部は、前記圧力センサの検出結果に基づいて、前記第１又は第２のモードを切り替える請求項１又は２記載の電子機器。
【請求項４】
前記制御部は、
前記圧力センサの検出結果に基づき、前記撮影部を撮影可能な状態とする請求項３記載の電子機器。
【請求項５】
静止画及び動画のうち１以上を撮影する第１の撮影部と、
静止画及び動画のうち１以上を撮影する第２の撮影部と、
ユーザが操作を入力するための操作入力部と、
前記第１又は第２の撮影部を制御する制御部と、を有し、
前記制御部は、
前記操作入力部の操作に基づいて前記第１又は第２の撮影部を制御する第１のモードと、
前記第１の撮影部の撮影結果に基づいて前記第２の撮影部を制御する第２のモードと、を有する電子機器。
【請求項６】
前記第１のモードは、陸上用の撮影モードであり、
前記第２のモードは、水中用の撮影モードである請求項５記載の電子機器。
【請求項７】
圧力センサを更に有し、
前記制御部は、前記圧力センサの検出結果に基づいて、前記第１又は第２のモードを切り替える請求項５又は６記載の電子機器。
【請求項８】
前記制御部は、
前記圧力センサの検出結果に基づき、前記第１又は第２の撮影部を撮影可能な状態とする請求項７記載の電子機器。
【請求項９】
静止画及び動画のうち１以上を撮影し、
前記撮影の際、操作入力部へのユーザの操作に基づいて撮影する第１のモードと、ユーザ検出部のユーザの検出結果に基づいて撮影する第２のモードと、を切り替える電子機器の制御方法。
【請求項１０】
静止画及び動画のうち１以上を撮影し、
前記撮影の際、操作入力部へのユーザの操作に基づいて撮影する第１のモードと、第１の撮影部の撮影結果に基づいて第２の撮影部を制御する第２のモードと、を切り替える電子機器の制御方法。
【発明の詳細な説明】
【技術分野】
【０００１】
本発明は電子機器及びその制御方法に関する。
【背景技術】
【０００２】
近年、デジタルカメラや携帯通信端末等の電子機器の中には、ボタン操作に換えて、タッチパネルにより操作するものがある。また、水中でも被写体を撮影することができる電子機器が発売されている。
【０００３】
特許文献１には、撮影環境が水中であることを検知する検知手段と、検知に応じて撮影環境が陸上から水中に変化したこと又は撮影環境が水中から陸上に変化したことを判断する撮影環境変化判定手段と、撮影環境が陸上から水中に変化したとの判断に応じてデジタルカメラの撮影条件を水中撮影に適した条件に設定する条件設定手段と、撮影環境が陸上から水中に変化したとの判断に応じて現在の撮影条件の設定を記憶する撮影条件設定記憶手段と、を備えるデジタルカメラが記載されている。
【先行技術文献】
【特許文献】
【０００４】
【特許文献１】特開２００５−３２８２２４号公報
【発明の概要】
【発明が解決しようとする課題】
【０００５】
しかしながら、電子機器に搭載されているタッチパネルのうち、静電容量式のタッチパネルの場合には、水滴等によりタッチパネルが反応してしまい、キー操作が無効となったり誤作動したりしてしまう。
【０００６】
従って、タッチパネル式の電子機器では、使用環境によってはタッチパネルが反応せず、撮影がうまく行えない場合があるという問題があった。
【０００７】
本発明は、このような問題を解決するためのものであり、タッチパネルが使用できない環境であっても、撮影可能な電子機器及びその制御方法を提供する。
【課題を解決するための手段】
【０００８】
本発明にかかる電子機器は、静止画及び動画のうち１以上を撮影する撮影部と、ユーザが操作を入力するための操作入力部と、ユーザを検出するユーザ検出部と、撮影部を制御する制御部と、を有し、制御部は、操作入力部の操作に基づいて撮影部を制御する第１のモードと、ユーザ検出部の検出結果に基づいて撮影部を制御する第２のモードと、を有するものである。
【０００９】
本発明にかかる電子機器は、静止画及び動画のうち１以上を撮影する第１の撮影部と、静止画及び動画のうち１以上を撮影する第２の撮影部と、ユーザが操作を入力するための操作入力部と、第１又は第２の撮影部を制御する制御部と、を有し、制御部は、操作入力部の操作に基づいて第１又は第２の撮影部を制御する第１のモードと、第１の撮影部の撮影結果に基づいて第２の撮影部を制御する第２のモードと、を有するものである。
【００１０】
本発明にかかる電子機器の制御方法は、静止画及び動画のうち１以上を撮影し、撮影の際、操作入力部へのユーザの操作に基づいて撮影する第１のモードと、ユーザ検出部のユーザの検出結果に基づいて撮影する第２のモードと、を切り替えるものである。
【００１１】
本発明にかかる電子機器の制御方法は、静止画及び動画のうち１以上を撮影し、撮影の際、操作入力部へのユーザの操作に基づいて撮影する第１のモードと、第１の撮影部の撮影結果に基づいて第２の撮影部を制御する第２のモードと、を切り替えるものである。
【発明の効果】
【００１２】
本発明によれば、タッチパネルが使用できない環境であっても、撮影可能な電子機器及び制御方法を提供することができる。
【図面の簡単な説明】
【００１３】
【図１】本実施の形態１にかかる電子機器を示す図である。
【図２】本実施の形態２にかかる電子機器の詳細を示すブロック図である。
【図３】本実施の形態２にかかる電子機器の操作画面を示す図である。
【図４】実施の形態２にかかる電子機器が水中で撮影する際のフローチャートを示す図である。
【図５】本実施の形態３にかかる電子機器を示すブロック図である。
【図６】本実施の形態３にかかる電子機器の操作画面を示す図である。
【図７】本実施の形態３にかかる電子機器の水中で撮影する際のフローチャートを示す図である。
【図８】本実施の形態４にかかる電子機器の操作画面を示す図である。
【図９】本実施の形態４にかかる電子機器の水中で撮影する際のフローチャートを示す図である。
【図１０】本実施の形態５にかかる電子機器を示すブロック図である。
【図１１】本実施の形態６にかかる電子機器を示すブロック図である。
【図１２】本実施の形態６にかかる電子機器の外観を概略的に示す図である。
【発明を実施するための形態】
【００１４】
実施の形態１
以下、図面を参照して本発明の実施の形態について説明する。本実施の形態にかかる電子機器１は、操作入力部が使用できない環境であっても、電子機器による撮影を可能とするものである。
【００１５】
図１は、本実施の形態にかかる電子機器１を示す図である。電子機器１は、撮影部１０と、操作入力部１１と、ユーザ検出部１２と、制御部１３とを有する。本実施の形態にかかる電子機器１は、具体的には、デジタルカメラ、スマートフォン等である。
【００１６】
撮影部１０は、陸上及び水上での撮影が可能であり、静止画及び動画のうちいずれか１以上を撮影する。
【００１７】
操作入力部１１は、ユーザが操作を入力するための入力部である。操作入力部１１は、ユーザの操作を検出し、制御部１３に出力する。操作入力部１１は、例えば一般的なタッチパネルであることが望ましい。
【００１８】
ユーザ検出部１２は、ユーザを検出するものである。具体的には、ユーザ検出部１２は、近接センサであることが望ましい。ユーザ検出部１２は、ユーザの接近を検出して、検出結果を制御部１３に出力する。なお、一般に、タッチパネルを有する電子機器は、近接センサを有している。これは、鞄の中等に入れられた際などに、ユーザの指ではなく、他のものの接触により誤作動することを防止するためであり、近接センサの検出結果により、タッチパネルの感度を調整している。
【００１９】
制御部１３は、操作入力部１１及びユーザ検出部１２からの出力に基づいて、撮影部１０を制御する。本実施の形態においては、制御部１３は、撮影部１０の制御モード（撮影モード）として、第１のモードと、第２のモードとを有する。
【００２０】
第１のモードにおいては、制御部１３は、操作入力部１１からの出力に基づいて、撮影部１０を制御し、撮影する。第２のモードにおいては、制御部１３は、ユーザ検出部１２からの出力に基づいて、撮影部１０を制御し、撮影する。
【００２１】
すなわち、第１のモードにおいては、ユーザが操作入力部１１を操作することにより、撮影部１０は撮影する。これに対し、第２のモードにおいては、ユーザがユーザ検出部１２の近くに、例えば指等を近づけると、撮影部１０は撮影する。
【００２２】
これにより、操作入力部１１が使用できない環境であっても、ユーザ検出部１２を用いて、撮影を行うことが可能である。また、撮影の制御には、一般の電子機器が有する近接センサ等を用いるため、新たな構成を追加する必要がなく、電子機器１の小型化やコストの低減に寄与できる。
【００２３】
実施の形態２
本実施の形態にかかる電子機器２について説明する。図２は、本実施の形態にかかる電子機器２の詳細を示すブロック図である。本実施の形態にかかる電子機器２は、実施の形態１にかかる電子機器１をより詳細に説明するものであり、防水機能つきのスマートフォンであるとして説明する。
【００２４】
電子機器２は、電子機器１の制御部１３としてのＣＰＵ（Central Processing Unit）２１と、操作入力部１１としてのタッチパネル２２と、表示部２３と、メモリ部２４と、記憶部２５と、撮影部１０としての表面撮影部２６と、ユーザ検出部１２としてのセンサ部２０とを有する。
【００２５】
タッチパネル２２は、一般的なタッチパネルであり、例えば静電容量式のタッチパネルを用いることができる。タッチパネル２２は、表示部２３上に積層されており、表示部２３の表示内容を透過する。タッチパネル２２は、ユーザからの入力を検出し、ＣＰＵ２１に出力する。
【００２６】
表示部２３は、一般的に表示装置として用いられる液晶表示装置等を有する。表示部２３は、ＣＰＵ２１から出力された情報を表示する。
【００２７】
メモリ部２４は、ＲＡＭ（Random Access Memory）であり、ユーザの入力した情報や演算情報を一時的に保存する。記憶部２５は、ＲＯＭ（Read Only Memory）であり、ユーザの情報や演算情報等、電子機器２の制御に必要なソフトウェア等を記憶する。
【００２８】
表面撮影部２６は、一般的な撮影装置と同様に、レンズやＭＯＳ又はＣＭＯＳ等の撮影素子等を有する。つまり、レンズを介して入力された光を撮影素子に導き、当該撮影素子で光電変換して、電気信号としてメモリ部２４に出力する。
【００２９】
センサ部２０は、ユーザの接近を検出する近接センサである。センサ部２０としては、一般的な近接センサを用いることができるが、水中において良好にユーザの接近を検出することができる、近接センサであることが望ましい。
【００３０】
ＣＰＵ２１は、記憶部２５から、電子機器２の制御に必要なソフトウェアのデータやユーザのデータを読み出して演算処理を行う。また、ＣＰＵ２１は、表面撮影部２６による撮影を制御する。このＣＰＵ２１は、タッチパネル２２の操作に基づいて表面撮影部２６を制御する第１のモードと、センサ部２０の検出結果に基づいて表面撮影部２６を制御する第２のモードとを有する。
【００３１】
第１のモードは、タッチパネル２２が使用可能な場合であって、例えば電子機器２が陸上で用いられる場合に適した撮影モードである。つまり、第１のモードは、例えば陸上用の撮影モードである。
【００３２】
第２のモードは、例えばタッチパネル２２が使用不可能な場合であって、水中にある場合や、タッチパネル２２に水滴がついている場合に適した撮影モードである。つまり、第２のモードは、例えば水中用の撮影モードである。
【００３３】
ＣＰＵ２１は、例えばユーザのタッチパネル２２への操作に基づいて、第１のモードと第２のモードとを切替える。つまり、本実施の形態において、ＣＰＵ２１は、第２のモード、つまり水中での撮影に適した撮影モードとなると、表面撮影部２６を、タッチパネル２２の操作ではなく、センサ部２０の検出結果に基づいて制御されるよう、撮影モードを切り替える。これにより、本実施の形態にかかる電子機器２は、タッチパネル２２が十分に使用できない環境、例えば水中や水辺での撮影環境でも、例えばセンサ部２０の近傍に手を近づけると、表面撮影部２６を動作させて撮影することができる。
【００３４】
なお、第２のモードに撮影モードが切り替わった際に、ＣＰＵ２１は撮影条件の設定を変更することが望ましい。撮影条件の設定については、ＡＦ（auto focus）及びパンフォーカスをオフとすることが望ましい。これは、水中でＡＦやパンフォーカス等の機能を用いて焦点を合わせようとすると、逆にピントが合わなくなることもあることから、ＡＦの設定をオフとするものである。また、水中での撮影であることを強調するために、水色を鮮やかにし、彩度をあげた設定とするとより望ましい。なお、撮影条件については、他にも明度、ホワイトバランス等を変更することが可能であり、ここに記載された条件に限られるものではない。
【００３５】
これにより、本実施の形態にかかる電子機器２は、タッチパネル２２がユーザの操作を誤検出したり、ユーザの操作を検出しなかったりする、水中等の環境下においても、ユーザ検出部１２により撮影可能とすることができる。さらに、撮影条件を変更することにより、より水中での撮影に適した設定とすることができ、より容易に水中や水辺等での撮影が可能になる。
【００３６】
次に、本実施の形態にかかる電子機器２が水中で撮影動作が実行される場合の手順について説明する。図３は、本実施の形態にかかる電子機器２の表示画面等を示す図である。図３（ａ）等に示すように、筐体の一方の主面（裏面）には、センサ部２０と、タッチパネル２２及び表示部２３を有する表示パネル２７とが配置されている。一方、筐体の他方の主面（表面）には、図示を省略するが、表面撮影部２６が配置されている。図４は、電子機器２が水中で撮影する際のフローチャートを示す図である。
【００３７】
図３（ａ）は、本実施の形態にかかる電子機器２の撮影前の表示パネル２７を示す図である。図３（ｂ）は、ユーザが表示パネル２７において、撮影モードを選択する際の図である（図４のステップＳ１）。本実施の形態においては予め、第１のモードとして、風景、夜景、人物が設定されており、第２のモードとして、水中が設定されている。ユーザはこれら４つの撮影モードのうちから、最適なものを選択する（図４のステップＳ２）。
【００３８】
撮影モードとして、ユーザが表示パネル２７を操作することにより水中が選択されると（図４のステップＳ２：Ｙｅｓ）、ＣＰＵ２１は撮影モードを水中撮影モードとし（図４のステップＳ３）、図３（ｃ）に示すように、表示パネル２７に、撮影モードが水中であることを表示させる。ユーザは、水中撮影モードの状態で、図３（ｄ）に示すように、電子機器１を水中に入れる。
【００３９】
電子機器１を水中に入れると、図３（ｅ）に示すように、ＣＰＵ２１は表面撮影部２６により撮影される水中の様子を表示パネル２７に表示させつつ、表面撮影部２６で撮影した画像データをメモリ部２４に格納させる。水中の様子が表示パネル２７に表示された状態で、図３（ｆ）に示すように、任意のタイミングで、ユーザがセンサ部２０を指等で塞ぐ。
【００４０】
指等で塞がれたことをセンサ部２０が検出すると（図４のステップＳ４：Ｙｅｓ）、センサ部２０はＣＰＵ２１に検出結果を出力し、ＣＰＵ２１はセンサ部２０がユーザの指等で塞がれた瞬間に表面撮影部２６で撮影された画像データをメモリ部２４から記憶部２５に保存処理する（図３（ｇ）、及び図４のステップＳ５、Ｓ６）。
【００４１】
本実施の形態においては、水中等、タッチパネル２２により電子機器１の操作ができない場合であっても、センサ部２０により表面撮影部２６が操作可能である。そのため、水中での画像の撮影を可能とすることができる。
【００４２】
なお、ここでは静止画の撮影タイミングについて説明したが、静止画の撮影だけでなく、動画の撮影を行ってもよい。その場合は、センサ部２０によるユーザの操作の一度目の検出タイミングを、動画撮影の開始のタイミングとし、センサ部２０によるユーザの操作の二度目の検出タイミングを、動画撮影の終了のタイミングとするようにする。これにより、表示パネル２７を使用しなくても水中での動画撮影が可能となる。
【００４３】
実施の形態３
次に、実施の形態３にかかる電子機器３について説明する。なお、実施の形態１又は２と同じ構成には同じ符号を付し、説明を省略する。図５は、本実施の形態にかかる電子機器３を示す図である。電子機器３は、ＣＰＵ２１と、タッチパネル２２と、表示部２３と、メモリ部２４と、記憶部２５と、表面撮影部２６と、センサ部２０と、圧力センサ３０とを有する。つまり、本実施の形態の電子機器３は、実施の形態１にかかる電子機器１と比較すると、圧力センサ３０を有する点が異なる。ちなみに、本実施の形態では、表面撮影部２６が起動され、撮影可能な状態であるとして説明する。
【００４４】
圧力センサ３０は、電子機器３の外部の圧力を検出する。圧力センサ３０は、電子機器３の外部の圧力を検出し、検出結果をＣＰＵ２１に出力する。
【００４５】
ＣＰＵ２１は、入力される検出結果に基づいて電子機器３の外部の圧力を算出し、算出した圧力が予め定められた圧力以上である場合は電子機器３が水中にあると判定する。ＣＰＵ２１は、電子機器３が水中であるとの判定結果の場合、水中撮影モードに切り替えて表面撮影部２６を制御する。
【００４６】
図６は、本実施の形態にかかる電子機器３の表示画面等を示す図である。図７は、水中で撮影する際のフローチャートを示す図である。
【００４７】
図６（ａ）は、表面撮影部２６が起動した状態での表示パネル２７を示す。図６（ａ）に示すように、表示パネル２７には、表面撮影部２６が撮影した画像データが表示される。この状態で、図６（ｂ）に示すように、ユーザが表面撮影部２６を起動したまま、電子機器３を水中に入れる。
【００４８】
圧力センサ３０は、電子機器３が起動している際、断続的に電子機器３の外部の圧力を検出する。そして、ＣＰＵ２１は、圧力センサ３０から入力される検出結果に基づいて、電子機器３が水中にあるか否かを判定する（図７のＳ１１）。ＣＰＵ２１は、電子機器３が水中にあると判定すると（図７のステップＳ１１：Ｙｅｓ）、図６（ｃ）に示すように、撮影モードを水中撮影モードに切り替え、表示パネル２７に撮影モードが水中撮影モードであることを表示させる（図７のステップＳ１２）。
【００４９】
第２のモードに切り替えられると、センサ部２０の検出結果により、表面撮影部２６に動作させることが可能となる。次に、ユーザの任意のタイミングで、図６（ｄ）に示すように、電子機器３のセンサ部２０がユーザの指等により覆われる。ユーザの指等でセンサ部２０が覆われたことをセンサ部２０が検出すると（図７のステップＳ１３：Ｙｅｓ）、図６（ｅ）に示すように、センサ部２０はＣＰＵ２１に検出信号を出力し、ＣＰＵ２１はセンサ部２０がユーザの指等で塞がれた瞬間に表面撮影部２６で撮影された画像データをメモリ部２４から記憶部２５に保存処理する（図６（ｅ）、及び図７のステップＳ１４、Ｓ１５）。
【００５０】
本実施の形態にかかる電子機器３は、ユーザが撮影モードを切り替えなくても、圧力センサ３０の検出結果に基づいて、撮影モードが水中撮影モードに切り替わるので、より容易に水中での撮影ができる。
【００５１】
ちなみに、ＣＰＵ２１は、圧力センサ３０の検出結果に基づいて、撮影モードを第２のモードから第１のモードに切り替える構成とされているとさらに良い。
【００５２】
実施の形態４
本実施の形態にかかる電子機器４は、実施の形態３の電子機器３と構成は同じであるが、撮影モードの切り替え方法が異なる。本実施の形態では、表面撮影部２６が起動していない状態から、表面撮影部２６が起動し、撮影モードを第２のモードに切り替えて動画を撮影する場合について説明する。
【００５３】
図８は、電子機器４が、水中で表面撮影部２６を水中撮影モードに変更する場合の、表示画面等を示す図である。図９は、電子機器４において、表面撮影部２６が起動されていない状態から、水中撮影モードに変更する場合のフローチャートを示す。
【００５４】
図８（ａ）は、表面撮影部２６が起動していない状態の電子機器４の表示画面を示す。このときＣＰＵ２１は、表示パネル２７に撮影モードが第１のモード（通常モード）であることを表示させる。そして、図８（ｂ）に示すように、電子機器４がユーザ等によって水中に入れられると、ＣＰＵ２１は圧力センサ３０の検出結果に基づいて電子機器４が水中であることを検出する（図９のステップＳ２１：Ｙｅｓ）。
【００５５】
次に、図８（ｃ）に示すように、ユーザはセンサ部２０を指等によって塞ぐ（図９のステップＳ２２：Ｙｅｓ）。ＣＰＵ２１は、電子機器４が水中であり、且つユーザによりセンサ部２０が塞がれていると判定すると表面撮影部２６を起動させる（図９のステップＳ２３）。ＣＰＵ２１は、図８（ｄ）に示すように、表面撮影部２６が起動すると、撮像モードが水中撮影モードであることの表示と、表面撮影部２６からの画像データとを表示パネル２７に表示させる。表面撮影部２６は、撮影した撮影データをメモリ部２４に断続的に格納する。
【００５６】
この状態から、図８（ｅ）に示すように、ユーザがセンサ部２０を指等で塞ぐと（図９のステップＳ２４：Ｙｅｓ）、ＣＰＵ２１は表面撮影部２６が撮影した画像データを断続的にメモリ部２４に格納し、録画処理を開始する（図９のステップＳ２５）。
【００５７】
次に、図８（ｆ）に示すように、録画処理中の電子機器２のセンサ部２０をユーザが指等で塞ぐと、センサ部２０がユーザを検出し（図９のステップＳ２６：Ｙｅｓ）、ＣＰＵ２１は、センサ部２０の検出結果に基づいて表面撮影部２６が撮影した画像データのメモリ部２４への記憶を終了し（図９のステップＳ２７）、メモリ部２４に格納されている画像データを記憶部２５に保存する（図９のステップＳ２８）。
【００５８】
これにより、本実施の形態においては、表面撮影部２６が起動されていなくても、水中であることを検出して、かつセンサ部２０がユーザを検出すると、電子機器４を水中撮影モードで起動する。これにより、タッチパネル２２を使用せず、容易に水中での撮影ができる。
【００５９】
実施の形態５
次に、本実施の形態にかかる電子機器について説明する。図１０は、本実施の形態にかかる電子機器５を示す図である。本実施の形態にかかる電子機器５は、ＣＰＵ２１と、タッチパネル２２と、表示部２３と、メモリ部２４と、記憶部２５と、複数の撮影部としての表面撮影部２６及び裏面撮影部４０と、を有する。
【００６０】
本実施の形態においては、電子機器５が水中撮影モードの際、表面撮影部２６の撮影タイミングの制御を、裏面撮影部４０の撮影結果に基づいて行う。すなわち、実施の形態１乃至４でのセンサ部２０の検出結果に換えて、裏面撮影部４０の撮影結果を用いる。
【００６１】
具体的には、裏面撮影部４０を、ユーザが指等で覆ったタイミングを、裏面撮影部４０により認識される明るさの変化により撮影タイミングとする。つまり、裏面撮影部４０が覆われる前と、覆われた後の明るさの差、つまり、明るい状態から暗い状態に変化したことや、裏面撮影部４０が覆われている状態と、覆いが外れた状態、つまり、暗い状態から、明るい状態に変化した際のタイミングを、撮影タイミングとする。
【００６２】
表面撮影部２６は電子機器５の表面に配置されており、裏面撮影部４０は電子機器５の裏面に配置されている。裏面撮影部４０も、表面撮影部２６と同様に、レンズや撮影素子を有する。本実施の形態においては、裏面撮影部４０の撮影結果に基づき、表面撮影部２６を制御するが、これは、例えば裏面撮影部４０から出力される電圧の変化を検出し、電圧の変化量が閾値より大きくなったタイミングを撮影タイミングとする。
【００６３】
なお、裏面撮影部４０を制御するために、表面撮影部２６を使用するようにしてもよい。この場合は、裏面撮影部４０の場合と同様に、表面撮影部２６で明るさの変化を検出し、裏面撮影部４０の撮影タイミングとすればよい。これにより、センサ部２０のみでなく、撮影に使用しない側の撮影部を、撮影タイミング制御に用いることができる。
【００６４】
また、電子機器が、複数のカメラを用い、１のカメラを撮影に使用して、他のカメラを該１のカメラの撮影タイミング制御に用いる場合には、予め撮影に用いるカメラを設定しておく等すればよい。
【００６５】
また、さらにユーザの指の形状や動き等を認識することにより、ユーザを検出して、撮影のタイミングとするようにしてもよい。
【００６６】
実施の形態６
本実施の形態にかかる電子機器６について説明する。図１１は、本実施の形態にかかる電子機器６を示す図である。本実施の形態にかかる電子機器６は、ＣＰＵ２１と、タッチパネル２２と、表示部２３と、メモリ部２４と、記憶部２５と、表面撮影部２６と、センサ部２０と、圧力センサ３０と、裏面撮影部４０とを有する。図１２は、本実施の形態にかかる電子機器６の外観を示す図である。図１２（ａ）に示すように、筐体の一方の主面（裏面）には、裏面撮影部４０と、センサ部２０と、圧力センサ３０と、表示パネル２７とが配置されている。図１２（ｂ）に示すように、筐体の他方の主面（表面）には、表面撮影部２６が配置されている。
【００６７】
本実施の形態においては、実施の形態１乃至５のうち、予め設定された１以上の撮影モードの切り替え方法及び撮影タイミングを組み合わせて撮影する。
【００６８】
例えば、電子機器５が陸上にあるときに、水中撮影モードにして、水中に入れて撮影する。また、表面撮影部２６が撮影可能ではない状態で、電子機器６を水中に入れ、裏面撮影部４０を用いて表面撮影部２６を撮影可能とし、裏面撮影部４０により撮影タイミングを制御する等である。
【００６９】
なお、本実施の形態の場合も、実施の形態１と同様に、動画の撮影をすることが可能である。また、動画撮影の場合も、実施の形態１と同様に、センサ部２０の検出結果に基づいて、動画撮影の開始、終了のタイミングとすることが可能である。更に、センサ部２０の検出を、表面撮影部２６の制御タイミングとするのではなく、裏面撮影部４０を覆うタイミングにより、表面撮影部２６で撮影することも可能である。
【００７０】
また、本実施の形態にかかる電子機器は、タッチパネルのほかに、撮影キーを有しない電子機器や、水中でキー操作、タッチ操作が無効となるような端末においても、水中で撮影が可能なカメラ機能を提供することができる。
【００７１】
現状、カメラを有する端末で防水に対応しタッチパネルを搭載した端末など物理的なキーを有しない電子機器を見聞できる。しかし、上記のような電子機器は陸上の場合には撮影操作は可能であるが、水中の場合にはタッチパネルの特性上、ユーザ操作が検知できないで撮影ができないものがあった。
【００７２】
本実施の形態にかかる電子機器は、カメラにて水中撮影モードとされた状態において、センサがユーザにより塞がれた等の操作を検知した場合、撮影、録画開始／終了動作を行う。また、カメラ起動状態で電子機器を水中に浸した際に、自動的に水中に適した撮影モードとする。更に、通常状態で電子機器を水中に浸した際に、自動的に撮影部を起動して水中に適した撮影モードとなるようにする。以上のことにより、電子機器が、入力及び操作するものとして、タッチパネルのみを有する場合であっても、水中で撮影可能な電子機器を提供することができる。
【００７３】
なお、本発明は上記実施の形態に限られたものではなく、趣旨を逸脱しない範囲で適宜変更することが可能である。
【符号の説明】
【００７４】
１  電子機器
２  電子機器
３  電子機器
４  電子機器
５  電子機器
６  電子機器
１０  撮影部
１１  操作入力部
１２  ユーザ検出部
１３  制御部
２０  センサ部
２１  ＣＰＵ
２２  タッチパネル
２３  表示部
２４  メモリ部
２５  記憶部
２６  表面撮影部
２７  表示パネル
３０  圧力センサ
４０  裏面撮影部
【図１】
2013179536.tif 000003
【図２】
2013179536.tif 000004
【図３】
2013179536.tif 000005
【図４】
2013179536.tif 000006
【図５】
2013179536.tif 000007
【図６】
2013179536.tif 000008
【図７】
2013179536.tif 000009
【図８】
2013179536.tif 000010
【図９】
2013179536.tif 000011
【図１０】
2013179536.tif 000012
【図１１】
2013179536.tif 000013
【図１２】
2013179536.tif 000014